(57)【特許請求の範囲】
【請求項１】
メンテナンスを構成する作業に関する情報を表示しかつ前記作業を保留する指示を受け付けるガイダンス画面の表示制御方法であって、
或る前記作業を保留した回数が所定回数に達しているか否かを判定する第１工程、および
前記或る作業を保留した回数が前記所定回数に達している場合に前記指示を受け付けることができないように前記ガイダンス画面を設定する第２工程を備える、表示制御方法。
【請求項２】
メンテナンスを構成する作業に関する情報を表示するガイダンス画面の表示制御方法であって、
或る前記作業を保留した回数が所定回数に達しているか否かを判定する第１工程、および
前記或る作業を保留した回数が前記所定回数に達している場合にオペレータに前記或る作業を実施することを促す情報を前記ガイダンス画面に表示させる第２工程を備える、表示制御方法。
【発明の詳細な説明】
【技術分野】
【０００１】
この発明は表示制御方法に関し、より特定的には、メンテナンスを構成する作業に関する情報を表示するガイダンス画面の表示制御方法に関する。
【背景技術】
【０００２】
通常、写真処理装置等のメンテナンスは、複数の作業によって構成され、全ての作業を実施することによって終了する。しかし、全ての作業を実施しなければメンテナンスを終了できないのは不便であるので、未実施の作業があってもメンテナンスを終了したいという要望があった。つまり、メンテナンスを途中で終了したいという要望があった。そこで、メンテナンスを途中で終了し、今回のメンテナンスで実施しなかった作業を次回のメンテナンスに持ち越すといったことが行われていた。このように、メンテナンスを構成する作業を保留することによって、任意のタイミングでメンテナンスを終了でき、利便性を向上できる。
【発明の開示】
【発明が解決しようとする課題】
【０００３】
しかし、メンテナンスを構成する或る作業を繰り返し保留すると、装置を正常な状態に維持できないおそれがあるという問題があった。
【０００４】
それゆえに、この発明の主たる目的は、利便性を低下させることなく装置を正常な状態に維持できる、表示制御方法を提供することである。
【課題を解決するための手段】
【０００５】
上述の目的を達成するために、請求項１に記載の表示制御方法は、メンテナンスを構成する作業に関する情報を表示しかつ作業を保留する指示を受け付けるガイダンス画面の表示制御方法であって、或る作業を保留した回数が所定回数に達しているか否かを判定する第１工程、および或る作業を保留した回数が所定回数に達している場合に指示を受け付けることができないようにガイダンス画面を設定する第２工程を備える。
【０００６】
請求項２に記載の表示制御方法は、メンテナンスを構成する作業に関する情報を表示するガイダンス画面の表示制御方法であって、或る作業を保留した回数が所定回数に達しているか否かを判定する第１工程、および或る作業を保留した回数が所定回数に達している場合にオペレータに或る作業を実施することを促す情報をガイダンス画面に表示させる第２工程を備える。
【０００７】
請求項１に記載の表示制御方法では、メンテナンスを構成する或る作業を保留した回数が所定回数に達している場合、当該或る作業を保留できないようにガイダンス画面が設定される。このように、作業を保留できる回数を制限することによって、装置を正常な状態に維持できる。また、保留できる回数が所定回数に達するまでは作業を保留できるので利便性を低下させることもない。
【０００８】
請求項２に記載の表示制御方法では、メンテナンスを構成する或る作業を保留した回数が所定回数に達している場合、オペレータに当該或る作業を実施することを促す情報がガイダンス画面に表示される。このように、保留した回数に応じてオペレータに作業の実施を促すことによって、利便性を低下させることなく装置を正常な状態に維持できる。
【発明の効果】
【０００９】
この発明によれば、利便性を低下させることなく装置を正常な状態に維持できる。
【発明を実施するための最良の形態】
【００１０】
以下、図面を参照して、この発明の実施の形態について説明する。
図１を参照して、この実施形態では、この発明の表示制御方法を写真処理装置１０に適用する場合について説明する。写真処理装置１０は、ラボ（現像所）等に設置され、写真用のフィルム等をスキャニングして得た画像データに基づく画像を銀塩印画紙Ｐに露光（焼き付け）形成することによって写真プリントを作製する。
【００１１】
図１に示すように、写真処理装置１０は、銀塩印画紙（以下、単に印画紙という）Ｐに露光処理を施すプリント部１２、印画紙Ｐに現像処理と乾燥処理とを施すプロセッサ部１４、写真処理装置１０の動作を制御するコントローラ１６、写真用のフィルムをスキャニングするスキャナ１８、オペレータがデータ入力や指示を行うための入力部２０、およびＧＵＩ（Graphical User Interface）やオペレータへのメッセージ等を表示する表示部２２を含む。
【００１２】
プリント部１２は、長尺の印画紙Ｐを収納するペーパーマガジン２４を含む。ペーパーマガジン２４に収納される印画紙Ｐは、所定の搬送経路（図１において二点鎖線で示す）に沿って引き出され、図示しないカッタによって適宜のサイズにカットされる。カット済みの印画紙Ｐの搬送経路上には露光ユニット２６が配置される。露光ユニット２６は、印画紙Ｐにレーザ光を照射し、印画紙Ｐに画像（潜像）を露光形成する。プリント部１２で露光処理が施された印画紙Ｐはプロセッサ部１４に送られる。
【００１３】
プロセッサ部１４は、現像部２８と乾燥部３０とを含む。現像部２８は複数の処理槽を有し、複数の処理槽内には露光済みの印画紙Ｐに現像、定着および洗浄等の処理を行うための種類の異なる処理液がそれぞれ充填されている。
【００１４】
また、プロセッサ部１４には、給水タンク３２と廃液タンク３４とが設けられる。給水タンク３２は複数の処理槽にそれぞれ対応して複数設けられ、給水タンク３２から対応する処理槽に水や処理液が適宜補給される。廃液タンク３４は複数の処理槽にそれぞれ対応して複数設けられ、廃液タンク３４には対応する処理槽から廃液が適宜排出される。なお、煩雑化を防止するために、図１においては給水タンク３２と廃液タンク３４とを１つずつ示す。
【００１５】
給水タンク３２には給水タンク３２内の液量を検出するための液量センサ３６が設けられる。同様に、廃液タンク３４には廃液タンク３４内の液量を検出するための液量センサ３８が設けられる。液量センサ３６，３８からの検出信号は、コントローラ１６に入力される。
【００１６】
また、プロセッサ部１４には、現像部２８の上方を覆うカバー４０が開閉可能に設けられる。写真処理装置１０の運転中には、各処理槽内の処理液が図示しないヒータによって約４０℃に温められる。このために、或る処理槽の処理液が気化した後に液化して他の処理槽の処理液に混入し、他の処理槽の処理液をコンタミネーション（汚染）するおそれがある。そこで、写真処理装置１０の運転中には、図示しないファンを駆動させることによってプロセッサ部１４内の換気が行われる。また、写真処理装置１０の運転停止後には、カバー４０を開扉しておくことによってプロセッサ部１４内の換気が行われる。写真処理装置１０では、このようにプロセッサ部１４内を換気することによって、処理液のコンタミネーションが防止される。カバー４０には、カバー４０の開閉状態を検出するための開閉センサ４２が設けられる。開閉センサ４２からの検出信号は、コントローラ１６に入力される。
【００１７】
露光済みの印画紙Ｐに形成された潜像は、現像部２８の複数の処理槽内を順次通過することによって現像される。現像部２８で現像処理が施された印画紙Ｐは、乾燥部３０に送られ、ヒータ４４が発する熱によって乾燥された後に、排出口１４ａから仕上がりプリントとして排出される。
【００１８】
パーソナルコンピュータ等であるコントローラ１６は、ＣＰＵバスで相互に接続されたＣＰＵ１６ａ、ＲＯＭ１６ｂ、ＲＡＭ１６ｃ、およびハードディスクドライブ（ＨＤＤ：ハードディスクを含む）１６ｄを含む。
【００１９】
制御手段であるＣＰＵ１６ａは、ＲＯＭ１６ｂやＨＤＤ１６ｄ等に格納される各種のプログラムを実行し、写真処理装置１０の各構成要素に指示を与え、かつそれらの動作を制御する。
【００２０】
ＲＯＭ１６ｂは、起動用プログラム等を格納している。起動用プログラムは、写真処理装置１０の電源投入時にＣＰＵ１６ａによって実行される。これによって、ＨＤＤ１６ｄに格納されているオペレーティングシステム（ＯＳ）等のプログラムがＲＡＭ１６ｃにロードされ、各種の処理や制御が実行可能となる。
【００２１】
ＲＡＭ１６ｃは、ＣＰＵ１６ａの作業領域として使用される。ＲＡＭ１６ｃには、写真処理装置１０を制御するプログラムが展開され、ＲＡＭ１６ｃは、このプログラムによる処理結果、処理のための一時データ、表示部２２に表示させる表示内容に対応する表示用データ（テキストデータ、画像データ等）等を保持する。
【００２２】
ＨＤＤ１６ｄは、プログラム、制御用データ、テキストデータ、画像データ等を、ＣＰＵ１６ａの指示に従ってハードディスクに対して書き込みまた読み出す。この実施形態では、記憶手段であるＨＤＤ１６ｄのハードディスクに、図２〜図４に示すような画面に対応する表示用データが格納されるとともに、図５に示す動作を実行するためのプログラムが格納される。
【００２３】
スキャナ１８は、写真用のフィルムに形成されたコマ画像に対応する画像データを取得するために写真用のフィルムをスキャニングする。スキャナ１８にはオートフィルムキャリア（ＡＦＣ）４６が着脱可能に設けられる。
【００２４】
スキャナ１８は、ＡＦＣ４６によって写真用のフィルムを搬送しつつ写真用のフィルムをスキャニングし、写真用のフィルムに形成されたコマ画像に対応する画像データをコントローラ１６に入力する。コマ画像に対応する画像データは、たとえばＨＤＤ１６ｄのハードディスクに格納され、露光処理の際に露光ユニット２６に入力される。これによって、印画紙Ｐに写真フィルムのコマ画像が露光形成される。
【００２５】
入力部２０はキーボードやマウス等からなり、後述するガイダンス画面上でボタン等を押すために用いられる。表示部２２はＣＲＴモニタ等からなる。表示部２２は、コントローラ１６のＲＡＭ１６ｃ上に展開される表示用データに対応する表示内容（テキスト、画像等）を表示する。
【００２６】
このように構成される写真処理装置１０は、次回の起動時に写真処理装置１０を円滑に動作させるために、たとえばラボの一日に終業時に終業点検される。メンテナンスの一例である終業点検は、各部の洗浄や次回の起動時に必要な消耗品の補充等、複数の作業によって構成される。表１に終業点検を構成する作業の一例を示す。
【００２７】
【表１】
0004848794.tif 000002
【００２８】
表１に示すように、この実施形態では、１１項目の作業によって終業点検が構成される。以下、終業点検を構成する作業に１〜１１の番号を付して説明する。番号１の「集計データ表示」は、その日に作製したプリントの枚数等に関する集計データを表示し必要に応じて出力する作業である。番号２の「設定データ保存」は、図示しないメディアドライブに装填されたフレキシブルディスクやＭＯ等のメディアに写真処理装置１０の設定状態を保存する作業である。番号３の「ＡＦＣクリーニング」は、図示しないクリーニングリーダをＡＦＣ４６に搬送させることによってＡＦＣ４６の搬送機構の埃を除去する作業である。番号４の「プログラムタイマー時刻設定」は、写真処理装置１０を自動的に起動させる時刻を設定する作業である。番号５の「ディスクデフラグメンテーション実行設定」は、ＨＤＤ１６ｄのハードディスクの領域を整理するためのデフラグメンテーションソフトを次回の起動時に実行させるか否かを設定する作業である。番号６の「自動洗浄」は、現像部２８の各処理槽に処理液の結晶が付着しないように現像部２８を洗浄する作業である。番号７の「廃液回収」は、廃液タンク３４内の廃液を回収する作業である。番号８の「給水タンク液量確認」は、給水タンク３２内の液量を確認し、必要に応じて給水タンク３２に水や処理液を補給する作業である。番号９の「カバー開扉」は、処理液のコンタミネーションを防止するためにカバー４０を開扉する作業である。番号１０の「スキャナ光学系およびＡＦＣ清掃」は、ＡＦＣ４６をスキャナ１８から取り外してスキャナ１８の光学系を清掃し、かつＡＦＣ４６を分解して調整および清掃する作業である。番号１１の「ＡＦＣ装着」は、番号１０の作業でスキャナ１８から取り外したＡＦＣ４６をスキャナ１８に取り付ける作業である。
【００２９】
なお、番号６の「自動洗浄」は番号９の「カバー開扉」よりも前に実施しておく必要がある。それ以外の作業についてはどの順で実施してもよい。番号１１の「ＡＦＣ装着」が番号１０の「スキャナ光学系およびＡＦＣ清掃」よりも後に実施されることはいうまでもない。
【００３０】
上述の番号１〜１１の作業は、終業点検の度に実施すべきか否かが予め設定されている。言い換えれば、番号１〜１１の作業は、保留可能であるか否かが予め設定されている。具体的には、今回（今日）の終業点検の集計データは次回（たとえば翌日）の終業点検において表示・出力することができないので、番号１の「集計データ表示」は保留不可能に設定される。プログラムタイマーの時刻設定をしておかなければ、写真処理装置１０が自動的に起動せず、次回のプリント作製の開始が大幅に遅れてしまうので、番号４の「プログラムタイマー時刻設定」は保留不可能に設定される。廃液タンク３４内の廃液を回収しておかなければ次回のプリント作製時に廃液タンク３４から廃液が溢れるおそれがあるので、番号７の「廃液回収」は保留不可能に設定される。カバー４０を開扉しておかなければ現像部２８の処理液がコンタミネーションされてしまうので、番号９の「カバー開扉」は保留不可能に設定される。このように、その日の終業点検においてのみ実施できる作業、その日の終業点検において実施しなければ写真処理装置１０を正常な状態に維持できない作業、および次回のプリント作製を迅速に開始するための作業等は、保留不可能に設定される。これら以外の番号２，３，５，６，８，１０，１１の作業は、終業点検の度に実施せずとも写真処理装置１０への影響が小さいので、予め設定された所定回数だけ保留できる。ＨＤＤ１６ｄのハードディスクには、番号１〜１１の作業に関連付けて保留可能か否かのフラグ等の設定データが格納される。また、ＨＤＤ１６ｄのハードディスクには、保留できる作業に関連付けて所定回数から保留した回数を減算した回数（保留可能回数）に対応するデータが格納される。この実施形態では、所定回数が７回に設定されるものとする。したがって、保留可能回数の初期値は７回であり、番号２，３，５，６，８，１０，１１の作業は７回まで保留可能である。
【００３１】
ついで、図２を参照して、このような終業点検において表示部２２に表示される作業ガイダンス画面５０について説明する。
作業ガイダンス画面５０は、終業点検を構成する各作業に関する情報を表示し、作業の実施を受け付けまた作業の保留を受け付けるために用いられる。
【００３２】
図２に示すように、作業ガイダンス画面５０には、終業点検の１１項目の作業（全ての作業）に対応して１１個の表示欄５２（５２ａ〜５２ｋとする）が設けられる。表示欄５２ａは表１の番号１の作業に対応し、表示欄５２ａには番号１の作業に関するメッセージがテキストで表示される。同様に、表示欄５２ｂ〜５２ｋは表１の番号２〜１１の作業にそれぞれ対応し、表示欄５２ｂ〜５２ｋには番号２〜１１の作業に関するメッセージがそれぞれテキストで表示される。
【００３３】
また、作業ガイダンス画面５０には、表示欄５２ａ〜５２ｋひいては表１の番号１〜１１の作業に対応して、ＹＥＳボタン５４（５４ａ〜５４ｋとする）が設けられる。或る作業に対応するＹＥＳボタン５４が押されることによって、図示しない画面が表示部２２に表示され、当該画面上で当該或る作業を実施するためのデータ入力や指示が行われる。つまり、或る作業に対応するＹＥＳボタン５４が押されることによって、当該或る作業を実施する指示が受け付けられる。
【００３４】
また、作業ガイダンス画面５０には、保留可能な表１の番号２，３，５，６，８，１０，１１の作業に対応してＮＯボタン５６（５６ｂ，５６ｃ，５６ｅ，５６ｆ，５６ｈ，５６ｊ，５６ｋとする）が設けられる。或る作業に対応するＮＯボタン５６が押されることによって、当該或る作業が今回の終業点検においてキャンセルされ次回以降の終業点検に持ち越される。つまり、或る作業に対応するＮＯボタン５６が押されることによって、当該或る作業を保留する指示が受け付けられる。
【００３５】
ＮＯボタン５６は、対応する作業の保留可能回数が０回であれば作業ガイダンス画面５０から削除される。つまり、保留した回数が所定回数に達している作業については、保留する指示を受け付けることができないように作業ガイダンス画面５０が設定される。具体的には、たとえば表１の番号２，３，５の作業の保留可能回数が０回である場合、図３に示すような作業ガイダンス画面５０が表示される。図３に示す作業ガイダンス画面５０では、図２に示す作業ガイダンス画面５０からＮＯボタン５６ｂ，５６ｃ，５６ｅが削除されている。
【００３６】
なお、この実施形態では、或る作業に対応するＹＥＳボタン５４が押された後に当該或る作業に対応するＮＯボタン５６が押された場合、たとえば所定のメッセージ等を表示部２２に表示し、無効な入力として取り扱うものとする。或る作業に対応するＮＯボタン５６が押された後に当該或る作業に対応するＹＥＳボタン５４が押された場合も同様である。
【００３７】
また、作業ガイダンス画面５０には、ＯＫボタン５８が設けられる。ＯＫボタン５８は、表１の各作業について対応するＹＥＳボタン５４またはＮＯボタン５６が押されることによって、操作可能となる。言い換えれば、ＯＫボタン５８は、表１の各作業について実施の受け付けまたは保留の受け付けがなされた後に操作可能となる。ＯＫボタン５８が押されることによって、作業ガイダンス画面５０が表示部２２から消えるとともに、保留された作業がある場合には図４に示すような保留ガイダンス画面６０が表示部２２に表示される。
【００３８】
ついで、図４を参照して、保留ガイダンス画面６０について説明する。
保留ガイダンス画面６０は、保留された作業に関する情報を表示するために用いられる。保留ガイダンス画面６０には、保留された作業の項目名を表示する表示欄６２が設けられる。図４には、表１の番号２，３，５の作業を保留した状態で表示される保留ガイダンス画面６０が示されている。したがって、図４に示す保留ガイダンス画面６０には、表１の番号２，３，５の作業の項目名を表示する表示欄６２（６２ｂ，６２ｃ，６２ｅとする）が設けられる。
【００３９】
また、保留ガイダンス画面６０には、ＯＫボタン６４が設けられる。ＯＫボタン６４が押されることによって、保留ガイダンス画面６０が表示部２２から消えるとともに、終業点検が終了する。
【００４０】
ついで、図５を参照して、この発明の表示制御方法が適用される写真処理装置１０の終業点検における動作について説明する。
まず、入力部２０からの入力に基づくＣＰＵ１６ａの指示に従って、ＨＤＤ１６ｄに格納される終業点検用プログラムがＲＡＭ１６ｃ上に展開され、終業点検モードに入る。そして、ＣＰＵ１６ａの指示に従って保留可能回数に対応するデータがＨＤＤ１６ｄからＲＡＭ１６ｃ上に読み出され、保留可能な作業のうち保留可能回数が０回の作業があるか否かがＣＰＵ１６ａによって判定される（ステップＳ１）。
【００４１】
つづいて、保留可能回数が０回の作業がある場合（ステップＳ１がＹＥＳ）、ＣＰＵ１６ａの指示に従って、当該作業に対応するＮＯボタン５６を作業ガイダンス画面５０（図２参照）から削除する設定がなされ（ステップＳ３）、作業ガイダンス画面５０が表示部２２に表示される（ステップＳ５）。一方、保留可能回数が０回の作業がない場合（ステップＳ１がＮＯ）、ステップＳ３を行わず、ステップＳ５に移る。したがって、ステップＳ１がＹＥＳの場合、ステップＳ５では、図３に示すようなＮＯボタン５６が削除された作業ガイダンス画面５０が表示部２２に表示される。一方、ステップＳ１がＮＯの場合、ステップＳ５では、図２に示す作業ガイダンス画面５０が表示部２２に表示される。
【００４２】
つづいて、作業ガイダンス画面５０において或る作業に対応するＮＯボタン５６が押されると（ステップＳ７がＹＥＳ）、ＣＰＵ１６ａによって当該或る作業の保留可能回数が１回減算され（ステップＳ９）、減算された保留可能回数に対応するデータが当該或る作業に関連連付けてＨＤＤ１６ｄに格納される。また、作業ガイダンス画面５０において或る作業に対応するＹＥＳボタン５４が押されると（ステップＳ１１がＹＥＳ）、ＣＰＵ１６ａによって当該或る作業の実施フラグがオンされる（ステップＳ１３）。そして、ＣＰＵ１６ａによって当該或る作業の保留可能回数が初期値（７回）に戻され（ステップＳ１５）、初期値に戻された保留可能回数に対応するデータが当該ある作業に関連付けてＨＤＤ１６ｄに格納される。
【００４３】
なお、「実施フラグ」とは、実施済みであるか否かをオンとオフとで判断するために、終業点検の各作業に関連付けられるデータであり、終業点検に入った時点でＨＤＤ１６ｄからＲＡＭ１６ｃ上に読み出される。ＣＰＵ１６ａは、実施フラグがオンの作業を実施済みであると判定し、実施フラグがオフの作業を未実施であると判定する。終業点検モードに入った時点では、全ての作業の実施フラグがオフとなるように設定されている。
【００４４】
つづいて、終業点検の各作業についてＹＥＳボタン５４またはＮＯボタン５６が押されていれば（ステップＳ１７がＹＥＳ）、ＣＰＵ１６ａの指示に従って作業ガイダンス画面５０のＯＫボタン５８が操作可能に設定される。そして、作業ガイダンス画面５０においてＯＫボタン５８が押されると（ステップＳ１９がＹＥＳ）、ＣＰＵ１６ａによって、実施していない作業があるか否かが実施フラグのオン・オフに基づいて判定される（ステップＳ２１）。つまり、ＣＰＵ１６ａによって保留した作業があるか否かが判定される。
【００４５】
保留した作業がある場合（ステップＳ２１がＹＥＳ）、ＣＰＵ１６ａの指示に従って、保留した作業の項目名を表示する保留ガイダンス画面６０（図４参照）が表示部２２に表示される（ステップＳ２３）。その後、保留ガイダンス画面６０においてＯＫボタン６４が押されることによって終業点検を終了する。一方、保留した作業がなければ（ステップＳ２１がＮＯ）、ステップＳ２３を行わずに終業点検を終了する。
【００４６】
このような写真処理装置１０によれば、終業点検を構成する或る作業の保留可能回数が０回である場合、当該或る作業を保留できないように当該或る作業に対応するＮＯボタン５６が作業ガイダンス画面５０から削除される。このように、作業を保留できる回数を制限することによって、写真処理装置１０を正常な状態に維持できる。また、保留可能回数が０回になるまでは作業を保留できるので利便性を低下させることもない。
【００４７】
ついで、この発明の他の表示制御方法を写真処理装置１０に適用した場合について説明する。この発明の他の表示制御方法を適用した写真処理装置１０では、保留可能回数が０回の作業がある場合、作業ガイダンス画面５０においてＯＫボタン５８が押されることによって、図６に示すような警告ガイダンス画面７０を表示部２２に表示させる。
【００４８】
図６を参照して、警告ガイダンス画面７０について説明する。
警告ガイダンス画面７０は、保留可能回数が０回の作業に関する情報を表示し、当該作業を実施することをオペレータに促すために用いられる。
【００４９】
図６に示すように、警告ガイダンス画面７０には、表示欄７２と７４とが設けられる。表示欄７２は、保留可能回数が０回の作業の項目名を表示する。図６には、表１の番号２，３，５の作業の保留可能回数が０回である状態において表示される警告ガイダンス画面７０が示されている。したがって、図６に示す警告ガイダンス画面７０には、表１の番号２，３，５の作業の項目名を表示する表示欄７２（７２ｂ，７２ｃ，７２ｅとする）が設けられる。表示欄７４は、表示欄７２の作業の実施をオペレータに促すためのメッセージをテキストで表示する。図６に示す警告ガイダンス画面７０には、「保留可能回数を超えています」というテキスト、および「以下の作業は保留できません」というテキストが表示欄７４に表示されている。
【００５０】
また、警告ガイダンス画面７０には、戻るボタン７６が設けられる。戻るボタン７６が押されることによって、警告ガイダンス画面７０が表示部２２から消えるとともに、作業ガイダンス画面５０が表示部２２に表示される。
【００５１】
ついで、図７を参照して、この発明の他の表示制御方法が適用される写真処理装置１０の終業点検における動作について説明する。
まず、入力部２０からの入力に基づくＣＰＵ１６ａの指示に従って、ＨＤＤ１６ｄに格納される終業点検用プログラムがＲＡＭ１６ｃ上に展開され、終業点検モードに入り、作業ガイダンス画面５０（図２参照）が表示部２２に表示される（ステップＳ１０１）。
【００５２】
つづいて、作業ガイダンス画面５０において或る作業に対応するＮＯボタン５６が押されると（ステップＳ１０３がＹＥＳ）、ＣＰＵ１６ａによって当該或る作業の保留可能回数が１回減算され（ステップＳ１０５）、減算された保留可能回数に対応するデータが当該或る作業に関連連付けてＨＤＤ１６ｄに格納される。また、作業ガイダンス画面５０において或る作業に対応するＹＥＳボタン５４が押されると（ステップＳ１０７がＹＥＳ）、ＣＰＵ１６ａによって当該或る作業の実施フラグがオンされる（ステップＳ１０９）。そして、ＣＰＵ１６ａによって当該或る作業の保留可能回数が初期値（７回）に戻され（ステップＳ１１１）、初期値に戻された保留可能回数に対応するデータが当該ある作業に関連付けてＨＤＤ１６ｄに格納される。
【００５３】
つづいて、終業点検の各作業についてＹＥＳボタン５４またはＮＯボタン５６が押されていれば（ステップＳ１１３がＹＥＳ）、ＣＰＵ１６ａの指示に従って作業ガイダンス画面５０のＯＫボタン５８が操作可能に設定される。
【００５４】
つづいて、作業ガイダンス画面５０においてＯＫボタン５８が押されると（ステップＳ１１５がＹＥＳ）、ＣＰＵ１６ａによって保留した作業があるか否かが判定される（ステップＳ１１７）。そして、保留した作業がある場合（ステップＳ１１７がＹＥＳ）、保留可能回数が０回の作業があるか否かがＣＰＵ１６ａによって判定される（ステップＳ１１９）。
【００５５】
保留可能回数が０回の作業がある場合（ステップＳ１１９がＹＥＳ）、ＣＰＵ１６ａの指示に従って、保留可能回数が０回の作業の項目名を表示する警告ガイダンス画面７０が表示部２２に表示される。その後、警告ガイダンス画面７０において戻るボタン７６が押されると（ステップＳ１２３がＹＥＳ）、ステップＳ１に戻る。
【００５６】
一方、保留可能回数が０回の作業がない場合（ステップＳ１１９がＮＯ）、ＣＰＵ１６ａの指示に従って、保留した作業の項目名を表示する保留ガイダンス画面６０（図４参照）が表示部２２に表示される（ステップＳ１２５）。その後、保留ガイダンス画面６０においてＯＫボタン６４が押されることによって終業点検を終了する。保留した作業がない場合（ステップＳ１１７がＮＯ）、ステップＳ１１９，Ｓ１２５を行わずに終業点検を終了する。
【００５７】
このように終業点検を構成する或る作業の保留可能回数が０回である場合に警告ガイダンス画面７０を表示し、オペレータに保留可能回数が０回である作業の実施を促すことによって、利便性を低下させることなく装置を正常な状態に維持できる。
【００５８】
なお、上述の実施形態では、警告ガイダンス画面７０を表示した後に作業ガイダンス画面５０を表示させ、保留可能回数が０回の作業を必ず実施させる場合について説明したが、これに限定されない。たとえば、警告ガイダンス画面７０に「プリントの品質が低下するおそれがあります」等のメッセージを表示する表示欄７４を設け、終業点検を終了するようにしてもよい。
【００５９】
なお、上述の実施形態では、所定回数を７回に設定し、保留可能回数が最大で７回である場合について説明したが、所定回数（保留可能回数の最大値）は装置の使用状況に応じて作業毎に任意に設定できる。また、保留可能にするか否かは、たとえば図示しない設定画面において作業毎に任意に設定できる。
【００６０】
なお上述の実施形態では、この発明の表示制御方法を写真処理装置１０の終業点検に適用する場合について説明したが、これに限定されない。この発明の表示制御方法は、任意の装置の任意のメンテナンスに適用できる。
【図面の簡単な説明】
【００６１】
【図１】この発明が適用される写真処理装置を示す図解図である。
【図２】図１の写真処理装置の表示部に表示される作業ガイダンス画面の一例を示す図解図である。
【図３】図１の写真処理装置の表示部に表示される作業ガイダンス画面の他の例を示す図解図である。
【図４】図１の写真処理装置の表示部に表示される保留ガイダンス画面の一例を示す図解図である。
【図５】図１の写真処理装置の終業点検における動作の一例を示すフロー図である。
【図６】図１の写真処理装置の表示部に表示される警告ガイダンス画面の一例を示す図解図である。
【図７】図１の写真処理装置の終業点検における動作の他の例を示すフロー図である。
【符号の説明】
【００６２】
１０      写真処理装置
１６      コントローラ
２２      表示部
５０      作業ガイダンス画面
５２，６２，７２，７４      表示欄
５４      ＹＥＳボタン
５６      ＮＯボタン
６０      保留ガイダンス画面
７０      警告ガイダンス画面
【図１】
0004848794.tif 000003
【図２】
0004848794.tif 000004
【図３】
0004848794.tif 000005
【図４】
0004848794.tif 000006
【図５】
0004848794.tif 000007
【図６】
0004848794.tif 000008
【図７】
0004848794.tif 000009